(57)【要約】【課題】洗濯物を効率良く乾燥することができる電気洗濯機を実現する。【解決手段】外側衣類投入口１０２ａを開閉する外蓋９の略中央部に位置させて設けた開閉可能な外蓋吸気窓９１０に吸気を加熱するヒータユニット１１２０を設け、制御装置１０６は、ヒータユニット１１２０への給電制御と、洗濯兼脱水槽６および撹拌翼８を一体的に高速回転させる通風乾燥と洗濯兼脱水槽の回転を停止させた状態で撹拌翼を回転させる布入替えを繰り返し実行するように駆動装置７を制御するように構成する。【選択図】  図２
2004313493.tif 000002
【特許請求の範囲】
【請求項１】
内側に洗濯兼脱水槽を回転可能に設置し、上部の開口端縁の内側に庇を形成する外槽カバーを設けた外槽と、前記洗濯兼脱水槽内の底部に回転可能に設けた撹拌翼と、前記洗濯兼脱水槽および／または撹拌翼を回転駆動する駆動装置と、前記洗濯兼脱水槽および撹拌翼の回転によって前記外槽内に送り出された空気を外枠内に導くように前記外槽カバーに設けた通気窓と、給水装置と、排水装置と、制御装置と、これらを包囲および内蔵するように設けられ、前記外槽および洗濯兼脱水槽の開口に対向するように形成した衣類投入口を有する前記外枠と、前記衣類投入口を開閉する外蓋と、前記外蓋の略中央部に位置するように設けた開閉可能な外蓋吸気窓とを備えた洗濯乾燥機において、
前記外蓋は、前記外蓋吸気窓から吸い込まれる空気を加熱する加熱手段を備え、
前記制御装置は、前記加熱手段を動作させると共に前記洗濯兼脱水槽および撹拌翼を一体的に高速回転させる通風乾燥と、前記洗濯兼脱水槽の回転を停止させた状態で前記撹拌翼を回転させる布入替えを繰り返し実行するように前記加熱手段と前記駆動装置を制御することを特徴とする電気洗濯機。
【請求項２】
内側に洗濯兼脱水槽を回転可能に設置し、上部の開口端縁の内側に庇を形成する内槽カバーを設けた外槽と、前記洗濯兼脱水槽の開口に対向するように前記内槽カバーの庇の内周側に開口する内側衣類投入口を開閉可能に覆う内蓋と、前記洗濯兼脱水槽内の底部に回転可能に設けた撹拌翼と、前記洗濯兼脱水槽および／または撹拌翼を回転駆動する駆動装置と、前記洗濯兼脱水槽および撹拌翼の回転によって前記外槽内に送り出された空気を外枠内に導くように前記外槽カバーに設けた通気窓と、給水装置と、排水装置と、制御装置と、これらを包囲および内蔵するように設けられ、前記内側衣類投入口に対向するように形成した外側衣類投入口を有する前記外枠と、前記外側衣類投入口を開閉する外蓋と、前記外蓋の略中央部に位置するように設けた開閉可能な外蓋吸気窓とを備えた洗濯乾燥機において、
前記内蓋は、内蓋吸気窓および該内蓋吸気窓から吸い込まれる空気を加熱する加熱手段を備え、
前記制御装置は、前記加熱手段を動作させると共に前記洗濯兼脱水槽および撹拌翼を一体的に高速回転させる通風乾燥と、前記洗濯兼脱水槽の回転を停止させた状態で前記撹拌翼を回転させる布入替えを繰り返し実行するように前記加熱手段と前記駆動装置を制御することを特徴とする電気洗濯機。
【請求項３】
内側に洗濯兼脱水槽を回転可能に設置し、上部の開口端縁の内側に庇を形成する内槽カバーを設けた外槽と、前記洗濯兼脱水槽の開口に対向するように前記内槽カバーの庇の内周側に開口する内側衣類投入口を開閉可能に覆う内蓋と、前記洗濯兼脱水槽内の底部に回転可能に設けた撹拌翼と、前記洗濯兼脱水槽および／または撹拌翼を回転駆動する駆動装置と、前記洗濯兼脱水槽および撹拌翼の回転によって前記外槽内に送り出された空気を外枠内に導くように前記外槽カバーに設けた通気窓と、給水装置と、排水装置と、制御装置と、これらを包囲および内蔵するように設けられ、前記内側衣類投入口に対向するように形成した外側衣類投入口を有する前記外枠と、前記外側衣類投入口を開閉する外蓋とを備えた洗濯乾燥機において、
前記内蓋は、その略中央部に位置する内蓋吸気窓と該内蓋吸気窓に外気を導く吸気通路を備え、
前記吸気通路に導く外気を加熱する加熱手段を備え、
前記制御装置は、前記加熱手段を動作させると共に前記洗濯兼脱水槽および撹拌翼を一体的に高速回転させる通風乾燥と、前記洗濯兼脱水槽の回転を停止させた状態で前記撹拌翼を回転させる布入替えを繰り返し実行するように前記加熱手段と前記駆動装置を制御することを特徴とする電気洗濯機。
【請求項４】
請求項１〜３の１項において、前記制御装置は、前記加熱手段を連続動作させた状態で前記通風乾燥と布入替えを実行するように前記加熱手段を制御することを特徴とする電気洗濯機。
【請求項５】
請求項１〜３の１項において、前記制御装置は、前記通風乾燥では前記加熱手段を動作させ、布入替えでは前記加熱手段の動作を停止するように前記加熱手段を制御することを特徴とする電気洗濯機。
【請求項６】
請求項１〜３の１項において、前記制御装置は、前半の通風乾燥では前記加熱手段の動作を停止させ、後半の通風乾燥では前記加熱手段を動作させるように該加熱手段を制御することを特徴とする電気洗濯機。
【請求項７】
請求項１〜３の１項において、前記制御装置は、前記加熱手段の動作を停止させた状態で、前記通風乾燥と布入替えを繰り返し実行するように前記加熱手段を制御することを特徴とする電気洗濯機。
【請求項８】
請求項１〜７の１項において、前記制御装置は、入力スイッチ群と表示素子群を設けた操作パネルと、乾燥排気湿度センサと、制御処理手段および負荷駆動装置を設けた主制御回路を備え、
前記入力スイッチ群は、前記加熱手段を動作させない状態で通風乾燥を行う冷風乾燥コースと、前記加熱手段を動作させた状態で通風乾燥を行う温風乾燥コースと、前記加熱手段を動作させない状態と動作させた状態を混合して通風乾燥を行う温風／冷風乾燥コースを設定する入力スイッチを備え、
前記制御処理手段は、乾燥排気湿度センサから出力される乾燥排気湿度信号に応じて乾燥運転時間を制御することを特徴とする電気洗濯機。
【請求項９】
請求項１〜８の１項において、前記制御装置は、前記洗濯兼脱水槽内の洗濯物の布量を検出して乾燥所要時間を設定して残時間表示制御を実行し、乾燥排気湿度センサから出力する検出信号を参照して乾燥仕上運転に移行する制御を実行することを特徴とする電気洗濯機。
【請求項１０】
請求項９において、前記制御装置は、予め設定した所定の乾燥仕上時間に基づいて前記乾燥仕上運転における残時間表示制御を実行することを特徴とする電気洗濯機。
【発明の詳細な説明】
【０００１】
【発明の属する技術分野】
本発明は、電気洗濯機に関する。
【０００２】
【従来の技術】
【特許文献１】
特開平１１−３４７２８２号公報
特開平１１−３４７２８２号公報には、遠心脱水した洗濯物を収容する洗濯兼脱水槽内に、加熱手段により加熱した温風を循環させることによって前記洗濯物の水分を蒸発させ、洗濯物から蒸発した水分を含んで湿潤した温風を水冷除湿するように構成して前記洗濯物を乾燥させる洗濯乾燥式の電気洗濯機が記載されている。
【０００３】
【発明が解決しようとする課題】
しかしながら、このような洗濯乾燥式の電気洗濯機は、構成が複雑になって高価になり、多量の温風を発生させることから消費電力が大幅に増加し、また、冷却水を使用することから消費水量も増加し、熱収縮する洗濯物（衣類）を乾燥することができないなどの問題がある。
【０００４】
湿潤した温風（空気）を機外に放出するように構成することにより、構成を簡素化し、冷却水も不要とすることができるが、このような乾燥方式の電気洗濯機は、加熱手段（ヒータ等）で空気を加熱した温風を専用の送風機で多量に洗濯兼脱水槽内に送風し、湿潤した多量の温風を機外（室内）に放出することから、室内の空気の温度と湿度を増加させて不快指数を悪化させ、湿度が増加した空気が壁やガラス窓や家具に触れると温度が低下してこれらの表面に結露するなどして生活環境を悪化させる問題がある。
【０００５】
本発明の１つの目的は、専用の送風機を使用せずに温風または冷風を選択的に洗濯兼脱水槽内に通風させて該洗濯兼脱水槽内の洗濯物を効率良く乾燥させることができる簡単な構成の洗濯乾燥式の電気洗濯機を提案することにある。
【０００６】
本発明の他の目的は、更に、室内の空気の湿度の増加による生活環境の悪化を軽減することができる簡単な構成の洗濯乾燥式の電気洗濯機を提案することにある。
【０００７】
本発明の他の目的は、更に、このような洗濯乾燥式の電気洗濯機において高い乾燥度を実現することにある。例えば、１００％を越える乾燥度が得られる冷風乾燥と温風乾燥を組合せて実現することにある。
【０００８】
本発明の他の目的は、更に、このような温風または冷風による通風乾燥を簡単な操作で実現することができる洗濯乾燥式の電気洗濯機を提案することにある。
【０００９】
【課題を解決するための手段】
本発明は、内側に洗濯兼脱水槽を回転可能に設置し、上部の開口端縁の内側に庇を形成する外槽カバーを設けた外槽と、前記洗濯兼脱水槽内の底部に回転可能に設けた撹拌翼と、前記洗濯兼脱水槽および／または撹拌翼を回転駆動する駆動装置と、前記洗濯兼脱水槽および撹拌翼の回転によって前記外槽内に送り出された空気を外枠内に導くように前記外槽カバーに設けた通気窓と、給水装置と、排水装置と、制御装置と、これらを包囲および内蔵するように設けられ、前記外槽および洗濯兼脱水槽の開口に対向するように形成した衣類投入口を有する前記外枠と、前記衣類投入口を開閉する外蓋と、前記外蓋の略中央部に位置するように設けた開閉可能な外蓋吸気窓とを備えた洗濯乾燥機において、
前記外蓋は、前記外蓋吸気窓から吸い込まれる空気を加熱する加熱手段を備え、
前記制御装置は、前記加熱手段を動作させると共に前記洗濯兼脱水槽および撹拌翼を一体的に高速回転させる通風乾燥と、前記洗濯兼脱水槽の回転を停止させた状態で前記撹拌翼を回転させる布入替えを繰り返し実行するように前記加熱手段と前記駆動装置を制御することを特徴とする。
【００１０】
また、本発明は、内側に洗濯兼脱水槽を回転可能に設置し、上部の開口端縁の内側に庇を形成する内槽カバーを設けた外槽と、前記洗濯兼脱水槽の開口に対向するように前記内槽カバーの庇の内周側に開口する内側衣類投入口を開閉可能に覆う内蓋と、前記洗濯兼脱水槽内の底部に回転可能に設けた撹拌翼と、前記洗濯兼脱水槽および／または撹拌翼を回転駆動する駆動装置と、前記洗濯兼脱水槽および撹拌翼の回転によって前記外槽内に送り出された空気を外枠内に導くように前記外槽カバーに設けた通気窓と、給水装置と、排水装置と、制御装置と、これらを包囲および内蔵するように設けられ、前記内側衣類投入口に対向するように形成した外側衣類投入口を有する前記外枠と、前記外側衣類投入口を開閉する外蓋と、前記外蓋の略中央部に位置するように設けた開閉可能な外蓋吸気窓とを備えた洗濯乾燥機において、
前記内蓋は、内蓋吸気窓および該内蓋吸気窓から吸い込まれる空気を加熱する加熱手段を備え、
前記制御装置は、前記加熱手段を動作させると共に前記洗濯兼脱水槽および撹拌翼を一体的に高速回転させる通風乾燥と、洗濯兼脱水槽の回転を停止させた状態で撹拌翼を回転させる布入替えを繰り返し実行するように前記加熱手段と前記駆動装置を制御することを特徴とする。
【００１１】
また、本発明は、内側に洗濯兼脱水槽を回転可能に設置し、上部の開口端縁の内側に庇を形成する内槽カバーを設けた外槽と、前記洗濯兼脱水槽の開口に対向するように前記内槽カバーの庇の内周側に開口する内側衣類投入口を開閉可能に覆う内蓋と、前記洗濯兼脱水槽内の底部に回転可能に設けた撹拌翼と、前記洗濯兼脱水槽および／または撹拌翼を回転駆動する駆動装置と、前記洗濯兼脱水槽および撹拌翼の回転によって前記外槽内に送り出された空気を外枠内に導くように前記外槽カバーに設けた通気窓と、給水装置と、排水装置と、制御装置と、これらを包囲および内蔵するように設けられ、前記内側衣類投入口に対向するように形成した外側衣類投入口を有する前記外枠と、前記外側衣類投入口を開閉する外蓋とを備えた洗濯乾燥機において、
前記内蓋は、その略中央部に位置する内蓋吸気窓と該内蓋吸気窓に外気を導く吸気通路を備え、
前記吸気通路に導く外気を加熱する加熱手段を備え、
前記制御装置は、前記加熱手段を動作させると共に前記洗濯兼脱水槽および撹拌翼を一体的に高速回転させる通風乾燥と、前記洗濯兼脱水槽の回転を停止させた状態で前記撹拌翼を回転させる布入替えを繰り返し実行するように前記加熱手段と前記駆動装置を制御することを特徴とする電気洗濯機。
【００１２】
そして、前記制御装置は、空気を加熱する前記加熱手段を連続動作させた状態で前記通風乾燥と布入替えを実行するように前記加熱手段を制御することを特徴とする。
【００１３】
また、前記制御装置は、前記通風乾燥では前記加熱手段を動作させ、布入替えでは前記加熱手段の動作を停止するように前記加熱手段を制御することを特徴とする。
【００１４】
また、前記制御装置は、前半の通風乾燥では前記加熱手段の動作を停止させ、後半の通風乾燥では前記加熱手段を動作させるように該加熱手段を制御することを特徴とする。
【００１５】
また、前記制御装置は、前記加熱手段の動作を停止させた状態で、前記通風乾燥と布入替えを繰り返し実行するように前記加熱手段を制御することを特徴とする。
【００１６】
また、前記制御装置は、入力スイッチ群と表示素子群を設けた操作パネルと、乾燥排気湿度センサと、制御処理手段および負荷駆動装置を設けた主制御回路を備え、
前記入力スイッチ群は、前記加熱手段を動作させない状態で通風乾燥を行う冷風乾燥コースと、前記加熱手段を動作させた状態で通風乾燥を行う温風乾燥コースと、前記加熱手段を動作させない状態と動作させた状態を混合して通風乾燥を行う温風／冷風乾燥コースを設定する入力スイッチを備え、
前記制御処理手段は、乾燥排気湿度センサから出力される乾燥排気湿度信号に応じて乾燥運転時間を制御することを特徴とする。
【００１７】
また、前記制御装置は、前記洗濯兼脱水槽内の洗濯物の布量を検出して乾燥所要時間を設定して残時間表示制御を実行し、乾燥排気湿度センサから出力する検出信号を参照して乾燥仕上運転に移行する制御を実行することを特徴とする。
【００１８】
また、前記制御装置は、予め設定した所定の乾燥仕上時間に基づいて前記乾燥仕上運転における残時間表示制御を実行することを特徴とする。
【００１９】
【発明の実施の形態】
本発明の実施の形態を図面を参照して説明する。
【００２０】
図１は、本発明の一実施の形態を示す電気洗濯機の外観斜視図、図２は、その縦断側面図、図３は、その外槽の平面図（ａ）と底部の縦断側面図、図４は、その外槽に設けた上カバーの平面図、図５は、その洗濯兼脱水槽の横断平面図、図６は、その撹拌翼の平面図（ａ）と縦断側面図（ｂ）、図７は、その外蓋の平面図、図８は、外蓋を示すものであって、外蓋吸気窓蓋を閉じた状態を示す縦断側面図（ａ）と外蓋吸気窓蓋を開いた状態を示す縦断側面図（ｂ）、図９は、その制御装置のブロック図、図１０は、制御装置が実行する洗濯，脱水，乾燥制御のフローチャート、図１１〜図１３は、この電気洗濯機において冷風乾燥コースを実行することによる洗濯物の乾燥特性図、図１４は、この電気洗濯機において各種の乾燥コースを実行することによる洗濯物の乾燥特性比較図である。
【００２１】
図１および図２に示すように、外枠１は、側面を取り囲む鋼板製の略４角筒状の側板１０１と、その上部開放端を覆うように側板１０１の上端に設置した上カバー１０２と、側板１０１の下端に設置したベース１０３を備える。側板１０１は、前面と両側面を形成する略コ字状の鋼板と後面を形成する略平坦な鋼板を組み合わせて構成する。
【００２２】
上カバー１０２は、合成樹脂を成型した部材であり、その略中央部に外側衣類投入口１０２ａを備え、この外側衣類投入口１０２ａの前側部分にフロントパネルボックス１０２ｂを備え、外側衣類投入口１０２ａの後側部分にバックパネルボックス１０２ｃを備える。フロントパネルボックス１０２ｂには、操作パネル１０５や制御回路基板や洗濯水位センサーなどを内蔵し、バックパネルボックス１０２ｃには、給水装置である給水電磁弁などを内蔵する。
【００２３】
ベース１０３は、底面の中央部分を開放した形状に合成樹脂を成型した部材であり、その側面に排水ホース引き出し穴１０３ａを備え、その４隅部に脚２を取り付ける。
【００２４】
外槽３は、洗濯水を溜める水槽であり、底部に排水口３０１および駆動装置嵌着穴３０２を形成し、上部の開口端縁の内側に庇を形成するように開口端に外槽カバー３０３を結合し、この外槽カバー３０３の庇の内周側に開口する内側衣類投入口３０３ｂが前記外側衣類投入口１０２ａの直下に位置するように前記側板１０１の上端四隅部から防振支持装置（図示省略）によって懸垂支持して取り付ける。この外槽３の底部は、排水状態において残水が発生しないように、図３に示すように、排水口３０１に向けて連続的に傾斜した内面形状とする。
【００２５】
排水口３０１には、排水装置である排水電磁弁４を介して排水ホース５を接続する。この排水ホース５は、ベース１０３に設けた排水ホース引き出し穴１０３ａから機外に導出する。
【００２６】
また、外槽カバー３０３の庇の部分は、図４に示すように、外槽３内に送り出されて上昇する空気を外枠１内に導く多数の通気窓穴３０３ａを備える。
【００２７】
洗濯兼脱水槽６は、ステンレス鋼板製の略円筒状の胴部６０１と合成樹脂を成型して形成した底部６０２と金属製の結合フランジ６０３と流体バランスリング６０４と糸屑捕集用の洗濯水循環ダクト６０５と糸屑捕集フィルタ６０６を備える。
【００２８】
この洗濯兼脱水槽６における胴部６０１は、図５に示すように、多数の脱水穴６０１ａと縦方向に伸びるように内側に突出した多数の凸条６０１ｂを備える。また、底部６０２と結合フランジ６０３は、インサート成型することによって一体的に形成して前記胴部６０１の下端に結合する。結合フランジ６０３には、予め多数の水抜き穴６０３ａを形成しておき、底部６０２には、成型時に多数の水抜き穴６０２ａを形成する。
【００２９】
また、流体バランスリング６０４は、内部に水を封入した環状部材であり、胴部６０１の上端に結合する。この流体バランスリング６０４は、図示説明は省略するが、吸気羽根を一体的に成型して設置することにより乾燥における吸気を支援するようにすると良い。
【００３０】
洗濯水循環ダクト６０５は、胴部６０１の内面に沿わせて取り付け、下端は撹拌翼の裏羽根（後述する）によって加圧された洗濯水を受け入れるように開口させ、上端は胴部６０１の中間部に開口させて前記糸屑捕集フィルタ６０６を結合する。
【００３１】
駆動装置７は、駆動電動機７０３と減速・クラッチ機構７０４を内蔵し、外側回転軸７０１と内側回転軸７０２を同心状に突出する。図示説明は省略するが、駆動電動機７０３は、可逆回転型の誘導電動機やインバータ駆動電動機を使用して構成し、減速・クラッチ機構７０４における減速機構は、駆動電動機７０３の回転を減速して内側回転軸７０２に伝達するように構成し、クラッチ機構は、駆動電動機７０３の回転を直に外側回転軸７０１と内側回転軸７０２に伝達する回転伝達系と駆動電動機７０３の回転を減速機構を介して内側回転軸７０２に伝達する回転伝達系を選択的に形成するように構成する。この駆動装置７は、外側回転軸７０１と内側回転軸７０２を前記外槽３の底部の内側に突出させるように駆動装置嵌着穴３０２に嵌入して該外槽３の外側に固着する。
【００３２】
前記洗濯兼脱水槽６は、結合フランジ６０３を駆動装置７の外側回転軸７０１に結合し、流体バランスリング６０４が外槽カバー３０３の下側に位置するように前記外槽３内に回転可能に設置する。
【００３３】
洗濯兼脱水槽６は、脱水した洗濯物を入れた状態で長時間にわたって高速回転させて通風乾燥するときに、洗濯兼脱水槽６内の洗濯物の分布の不均一に起因する軸振れ力が長時間にわたって発生する。この軸振れ力は、洗濯兼脱水槽６，駆動装置７の外側回転軸と７０１と内側回転軸７０２，外槽１に作用する。従って、これらを構成する部材、特に結合フランジ６０３，外側回転軸と７０１と内側回転軸７０２とその軸受（図示省略），外槽１の底部は、強度を高めた形態にすることが望ましい。
【００３４】
撹拌翼８は、図６に示すように、洗濯兼脱水槽６の胴部６０１の内径よりも僅かに小さい程度の大径の皿状部材であり、その表面は、中心部分を凸状に滑らかにわん曲させ、中程を凹状に滑らかにわん曲させ、外周部を滑らかに立ちあげるようにわん曲させ、更に凸条を放射状に形成した撹拌羽根８０１を形成し、中程から外周部にかけて多数の通気穴８０２を表裏方向に貫通するように形成し、その裏面には、放射状の洗濯水循環裏羽根８０３を形成した構成である。この撹拌翼８は、駆動装置７の内側回転軸７０２に嵌着して洗濯兼脱水槽６の底部の内側に回転可能に位置するように設置する。
【００３５】
上カバー１０２に形成した外側衣類投入口１０２ａは、外蓋９によって開閉可能に覆う。
【００３６】
次に、専用の電動送風機を使用しないで外気を吸い込んで前記洗濯兼脱水槽６内に通風して該洗濯兼脱水槽６内の洗濯物を通風乾燥させる通風機構について説明する。
【００３７】
図７および図８に示すように、外蓋９は、前後方向の略中央部位を折り目にして山折りに折り曲げ可能に前側部材９０１と後側部材９０２をヒンジ９０３によって結合して構成し、後端部分に設けたヒンジ９０４を軸にして転角して前記外側衣類投入口１０２ａを開閉するように上カバー１０２に取り付けて設ける。
【００３８】
前側部材９０１は、その後縁部に、この外蓋９を山折りにするように開放操作するときに指をかける取っ手９０１ａを備える。
【００３９】
後側部材９０２は、前記折り目側に沿って弦を位置させた略半円形状の外蓋吸気窓９１０を備える。この外蓋吸気窓９１０は、外気を外側衣類投入口１０２ａを通して洗濯兼脱水槽６内に吸気させるためのものであり、吸気から塵埃を除去するフィルタ１１１０と該フィルタ１１１０の内側に位置して吸気を加熱する加熱手段であるヒータユニット１１２０を設置する。フィルタ１１１０は、外側から着脱可能に設置する。ヒータユニット１１２０は、吸気を加熱するヒータ１１２１と、このヒータ１１２１を覆うように設けた絶縁素材のヒータケース１１２２を備る。ヒータケース１１２２は、フィルタ１１１０を通過した外気を通過させる外側吸気窓１１２２ａと、ヒータ１１２１を通過して加熱された温風を通過させて洗濯兼脱水槽６に向けて送り出す内側吸気窓１１２２ｂを備える。
【００４０】
また、外蓋吸気窓９１０には、更に後側部材９０２の折り目側（弦側）に設けたヒンジ９１３を軸にして転角して前記フィルタ１１１０の外側を開閉可能に覆うように後側部材９０２に取り付けた略半円形状の外蓋吸気窓蓋９１４を備える。外蓋吸気窓蓋９１４は、最後端縁に、開放操作するときに指をかける取っ手９１４ａを設ける。ヒンジ９１３は、図示説明は省略するが、外蓋吸気窓蓋９１４を約４５度および９０度の角度に起立するように転角（開放）した状態で静止させる静止機構を備える。
【００４１】
このように構成した外蓋吸気窓９１０は、外蓋吸気窓蓋９１４を閉じておくことによって洗濯および遠心脱水工程において内部で発生する騒音の放出を抑制することができる。
【００４２】
乾燥工程においては、外蓋吸気窓蓋９１４を約４５度の角度に起立させることにより、外蓋吸気窓蓋９１４は、フィルタ１１１０の前側に位置して弦側を下にして安定した姿勢で起立してフィルタ１１１０を開放して該フィルタ１１１０を通した吸気を容易にすると共にフィルタ１１１０から放出される騒音を後方に向けて反射（前方に広がるのを抑制）することによって前方に位置する使用者に伝わる騒音を軽減することができる。そして、外蓋吸気窓蓋９１４を約９０度の角度に起立するように開放することにより、フィルタ１１１０を清掃するための着脱を容易にする。
【００４３】
外枠１内の底部には、外枠１の内周面と外槽３の外周面の間の間隙を下降する乾燥排気に曝されて該乾燥排気の湿度に応じた乾燥排気湿度検出信号を出力する乾燥排気湿度センサ１００１を設置する。
【００４４】
この電気洗濯機の制御装置は、図９に示すように、操作パネル１０５は、電源スイッチ１０５１と、入力スイッチ群１０５２と、表示素子群１０５３を備える。入力スイッチ群１０５２は、各種の洗濯コースや乾燥コースを設定すると共にスタートを指示するボタンスイッチ群を備え、表示素子群１０５３は、設定された洗濯コースや乾燥コースの表示とその進行状態（実行工程や残時間等）を表示する表示灯群を備える。
【００４５】
主制御回路１０６は、制御処理手段であるマイクロコンピュータ１０６１と負荷駆動装置１０６２を備え、前記電源スイッチ１０５１が投入されるとマイクロコンピュータ１０６１が起動して制御処理プログラムを実行し、前記操作パネル１０５における入力スイッチ群１０５２からの入力に従って洗濯コースおよび／または乾燥コースを設定し、洗濯水位センサー１００２から出力される水位検出信号を参照して、給水電磁弁１３，排水電磁弁４，駆動装置７における駆動電動機７０３と減速・クラッチ機構７０４およびヒータ１１２１を駆動するように負荷駆動装置１０６２を制御して洗濯，脱水および乾燥を行う制御処理を実行し、その進行状態を表示するように表示素子群１０５３を点灯／消灯する制御処理を実行する。
【００４６】
この実施の形態における制御処理プログラムは、乾燥コースについては、吸気を加熱しないで洗濯兼脱水槽６内に通風させる冷風乾燥コースと、吸気をヒータ１１２１によって加熱して洗濯兼脱水槽６内に通風させる温風乾燥コースと、冷風乾燥と温風乾燥を組み合わせて行う冷風／温風乾燥コースを選択的に設定して実行する制御処理機能を備え、洗濯コースについては、洗濯・脱水コースと、洗濯・脱水・乾燥コースを選択的に設定して実行する制御処理機能を備える。洗濯・脱水・乾燥コースにおける乾燥のコースは、前記乾燥コースにおける冷風乾燥コースと温風乾燥コースと冷風／温風乾燥コースと同様に設定および実行する。
【００４７】
洗濯・脱水コースが設定されているときには、マイクロコンピュータ１０６１は、布量・布質検出，洗濯水量・洗濯水流設定，洗い給水，洗い撹拌，排水，濯ぎ給水，濯ぎ撹拌，排水，遠心脱水の洗濯制御処理を実行するが、これは、従来の電気洗濯機における洗濯制御処理と同様であるので具体的な説明を省略する。
【００４８】
次に、洗濯・脱水・乾燥コースおよび乾燥コースについて、具体的に説明する。洗濯・脱水・乾燥コースにおける乾燥のコース設定は、洗濯・脱水コースを終了した後に改めて乾燥コースとして設定するようにしても良いが、ここでは、洗濯・脱水・乾燥コースを設定するときに設定するものとして説明する。
【００４９】
乾燥コースは、脱水した洗濯物を洗濯兼脱水槽６に入れ（または解した状態で残し）、外蓋吸気窓蓋９１４を開放した状態で実行する。マイクロコンピュータ１０６１は、設計仕様情報として予め求めて設定されている乾燥制御情報に従って、排水電磁弁４を開放した状態で洗濯兼脱水槽６および撹拌翼８の通風乾燥回転速度を８７０〜９５０ｒｐｍの高速度に設定して行う冷風乾燥や、１００〜９５０ｒｐｍの低速，中速，高速度に変化させて行う温風乾燥や、冷風乾燥と温風乾燥を組み合わせて行う冷風／温風乾燥の乾燥運転制御を実行する。そして、この乾燥運転は、乾燥排気湿度センサ１００１から出力される乾燥排気湿度検出信号を参照して乾燥度を確認することにより、所定の乾燥度に到達するまでは基礎乾燥運転を実行し、所定の乾燥度に到達すると基礎乾燥運転を終了してその後に乾燥仕上運転を行って乾燥コースの運転制御を終了する。
【００５０】
また、この間、残時間表示制御を実行する。この残時間表示制御において最初に設定する残時間（乾燥運転所要時間）は、乾燥する各種の布量に対して冷風乾燥と温風乾燥と冷風／温風乾燥での乾燥運転所要時間情報（布量に応じた基礎乾燥運転時間と所定の乾燥仕上運転時間）をテーブル化して制御情報としてマイクロコンピュータ１０６１の内部メモリに記憶させておき、洗濯兼脱水槽６内の乾燥すべき布量（洗濯物の量）を検出（洗濯・脱水・乾燥コースにおいては洗濯開始初期に検出した布量検出データを採用する）し、検出した布量に基づいて前記制御情報（乾燥運転所要時間情報のテーブル）を参照して該当する乾燥運転所要時間情報（布量に応じた基礎乾燥運転時間と所定の乾燥仕上運転時間）を読み出して設定する。
【００５１】
ここで、基礎乾燥運転は、洗濯兼脱水槽６と撹拌翼８を１０分間回転（８７０ｒｐｍの高速度で一方向に連続回転）させて通風乾燥を行った後に停止させ、洗濯兼脱水槽６を停止させた状態で撹拌翼８を１．０秒間回転，１．５秒間停止で２往復の正逆回転（布解し）を行った後に０．４秒間回転，０．４秒間停止で３往復の正逆回転（布均し）を行う布入替えを実行する工程を所定の乾燥度に到達するまで繰り返す運転である。温風乾燥においては、布入替え時に、ヒータ１１２１への給電を継続する方法またはヒータ１１２１への給電を停止する方法を採用する。
【００５２】
また、乾燥仕上運転は、洗濯兼脱水槽６と撹拌翼８を１０分間回転（８７０ｒｐｍの高速度で一方向に連続回転）させて通風乾燥を行った後に停止させ、洗濯兼脱水槽６を停止させた状態で撹拌翼８を１．０秒間回転，２．０秒間停止で２往復の正逆回転（布解し）を行った後に０．４秒間回転，０．４秒間停止で３往復の正逆回転（布均し）を行う布入替えを実行する工程を３回繰り返す運転である。この乾燥仕上運転は、ヒータ１１２０への給電を停止した状態で行って洗濯物や機器の温度を下げるように行う。
【００５３】
乾燥制御が実行されて洗濯兼脱水槽６と撹拌翼８が回転すると、洗濯物もこれらと一体的に回転して洗濯兼脱水槽６内の空気に触れた状態で該空気と相対移動することから洗濯物の水分が空気中に効率良く蒸発する。
【００５４】
ここで、洗濯兼脱水槽６と撹拌翼８と洗濯物が回転すると、洗濯兼脱水槽６内の空気はこれらとの摩擦力によって旋回し、更に、洗濯兼脱水槽６の凸条６０１ｂと撹拌翼８の撹拌羽根８０１と洗濯水循環裏羽根８０３が回転して遠心送風羽根車として機能することから、洗濯兼脱水槽６内の空気が旋回しながら該洗濯兼脱水槽６の内周縁部に移動して上縁から溢れて外槽３内に流れ出し、脱水穴６０１ａから外槽３内に吹き出し、また、撹拌翼８の洗濯水循環裏羽根８０３に引かれて該撹拌翼８の通気窓８０２から該撹拌翼８の裏側に移動した後に該撹拌翼８の外周縁と洗濯兼脱水槽６の内周綿の隙間から該洗濯兼脱水槽６内の内周縁部に吹き出すと共に洗濯水循環ダクト６０５を通して該洗濯兼脱水槽６内の内周縁部に吹き出し、更には、洗濯兼脱水槽６の底部の水抜き穴６０２ａ，６０３ａから外槽３内に吹き出す。
【００５５】
外槽１内に吹き出した空気は、その一部は、底部に開口している排水口３０１から排水電磁弁４および排水ホース５を介して機外に流出し、他の一部は、外槽３の内壁に沿って上昇して外槽カバー３０３の通気窓穴３０３ａを通して外枠１内に流れ出る。
【００５６】
このようにして外枠１内に流れ出た空気は、外槽３との間の隙間を下降して乾燥排気湿度センサ１００１に触れると共にベース１０３の下側から機外に流れ出す。
【００５７】
このようにして洗濯兼脱水槽６内の空気が洗濯物から水分を奪って機外に流れ出る通風の流れを良くするためには、機外から洗濯兼脱水槽６内に新しい空気を効率良く吸気することが必要である。洗濯兼脱水槽６内の空気が流れ出すと該洗濯兼脱水槽６の中心部分が負圧状態になることから、この洗濯兼脱水槽６の中心部の上方に位置して開放している外蓋吸気窓９１０から機外の新しい空気が流れ込んで洗濯兼脱水槽６の中心部に効率良く流入（吸気）することができる。
【００５８】
このような乾燥運転によれば、２〜３立方メートル／分の吸気流量（通風流量）を発生するので、ヒータ１１２１への給電を停止状態にして冷風通風を行う冷風乾燥コースにおいても、乾燥度約１０２％の乾燥を実現することができる。しかも、この冷風乾燥は、温風乾燥のように多量に湿潤した温風を吹き出して生活環境を悪化させることがなく、また、洗濯物を熱収縮させることがない。
【００５９】
また、多量の洗濯物の乾燥，乾き難い綿衣類の乾燥，乾燥時間の短縮では、ヒータ１１２１へ給電状態にすることにより吸気を加熱して温風を洗濯兼脱水槽６内に送り込むようにすることにより、比較的短時間に乾燥度約１０２％以上の乾燥を実現することができる。しかも、この温風通風は、専用の電動送風機を必要としないので、簡単で安価な構成で実現することができる。
【００６０】
また、当初は冷風通風を実行して洗濯物を乾かし、その後に乾きムラ等を解消するために温風通風を実行するように冷風乾燥と温風乾燥を組み合わせて行う冷風／温風乾燥を実行することにより、省エネルギーで効率の良い乾燥運転を実現することができ、総てを温風通風で行う温風乾燥コースに比べて湿潤した温風の吹き出し量を低減して生活環境の悪化を軽減することができる。
【００６１】
このような洗濯・脱水・乾燥コースおよび乾燥コースの設定は、操作パネル１０５における入力スイッチ群１０５２を操作して指示することにより、マイクロコンピュータ１０６１がこの指示を読み取って内部メモリに乾燥制御情報として内部メモリに記憶することにより設定される。
【００６２】
そして、マイクロコンピュータ１０６１は、図１０に示すように、乾燥コースの運転制御では、次のような制御処理を実行する。
【００６３】
ステップＳ１
乾燥コースの設定処理を行う。この乾燥コースの設定では、操作パネル１０５の入力スイッチ群１０５２からの指示入力に基づいて、冷風乾燥コースと温風乾燥コースと冷風／温風乾燥コースを選択的に設定する。
【００６４】
ステップＳ２
操作パネル１０５の入力スイッチ群１０５２からスタートの指示入力を確認して処理を分岐する。
【００６５】
ステップＳ３
洗濯兼脱水槽６に入れられている洗濯物の量を検出する布量検出を行う。この布量検出は、洗濯兼脱水槽６を停止させた状態で撹拌翼８を回転させるように駆動電動機７０３に所定時間給電したときの到達回転速度または駆動電動機７０３に所定時間給電した後に給電停止してからの回転速度減衰特性を検出し、この検出結果に基づいて内部メモリの湿潤布量テーブルを参照して求める。この湿潤布量テーブルには、設計仕様情報として、予め、各種の到達回転速度または回転速度減衰特性に対応する洗濯物の量を求めて内部メモリに記憶させておく。
【００６６】
ステップＳ４
乾燥運転所要時間を設定し、これを操作パネル１０５における表示素子群１０５３を制御して表示すると共に該表示時間から経過時間を減算して更新表示する残時間表示制御を開始する。乾燥運転所要時間の設定は、前述したように、検出した布量に基づいて内部メモリの制御情報（乾燥運転所要時間情報のテーブル）を参照して該当する乾燥運転所要時間情報（布量に応じた基礎乾燥時間と所定の乾燥仕上運転時間）を読み出して設定することにより行う。
【００６７】
ステップＳ５
基礎乾燥運転制御を実行する。この基礎乾燥運転は、前述したように、通風乾燥と布入替えを行う工程を行うが、冷風乾燥コースが設定されている状態ではヒータ１１２１に給電することなく吸気した外気をそのまま通風させて行う。また、温風乾燥コースが設定されている状態では、ヒータ１１２１に給電することにより吸気した外気を加熱することにより温風として通風させて行う。そして、冷風／温風乾燥コースが設定されている状態では、基礎乾燥運転時間の前半は、ヒータ１１２１に給電することなく吸気した外気をそのまま通風させて行い、後半は、ヒータ１１２１に給電することにより吸気した外気を加熱することにより温風として通風させて行う。この前半と後半の区別は、乾燥排気湿度センサ１００１から出力される乾燥排気湿度検出信号に基づいて確認した乾燥度に応じて行うようにしても良い。
【００６８】
ステップＳ６
通風乾燥と布入替えを行う１工程が終了すると、乾燥排気湿度センサ１００１から出力される乾燥排気湿度検出信号に基づいて検出した乾燥度が所定の乾燥度に到達しているかどうかを確認して処理を分岐する。
【００６９】
ステップＳ７
ステップＳ６において、検出した乾燥度が所定の乾燥度に到達していないときには、経過時間（残時間表示）が基礎乾燥時間内かどうかを確認して処理を分岐する。経過時間が基礎乾燥時間内であるときには、そのままステップＳ５に戻って通風乾燥と布入替えの工程を繰り返し、残時間表示（残時間表示更新）制御を継続する。
【００７０】
ステップＳ８
ステップＳ７において、経過時間（残時間表示）が基礎乾燥時間に到達しているときには、残時間表示更新を停止してステップＳ５に戻る。従って、このときの残時間表示は、所定の乾燥仕上運転時間を表示したままとなる。
【００７１】
ステップＳ９
ステップＳ６における乾燥度確認において、検出した乾燥度が所定の乾燥度に到達していると、乾燥仕上運転を行う。この乾燥仕上運転では、前述したように、通風乾燥と布入替えの工程を繰り返し、また、予め設定している所定の乾燥仕上時間に基づいた残時間表示（残時間表示更新）制御を行う。
【００７２】
また、マイクロコンピュータ１０６１は、洗濯・脱水・乾燥コースの運転制御では、次のような制御処理を実行してから前述した乾燥コースに移行する。
【００７３】
ステップＳ１０
洗濯・脱水・乾燥コース設定処理を行う。この洗濯・脱水・乾燥コース設定では、操作パネル１０５の入力スイッチ群１０５２からの指示入力に基づいて、洗濯および脱水工程のための設定と、乾燥工程のための設定を行う。洗濯および脱水工程のための設定は、従来の電気洗濯機と同様であるので具体的な説明は省略する。また、乾燥工程のための設定は、前述した乾燥工程における設定と同様に、冷風乾燥コースと温風乾燥コースと冷風／温風乾燥コースを選択的に設定する。
【００７４】
ステップＳ１１
操作パネル１０５の入力スイッチ群１０５２からスタートの指示入力を確認して処理を分岐する。
【００７５】
ステップＳ１２
布量検出と布質検出を行う。この布量検出は、従来の電気洗濯機の布量検出および布質検出における布量検出と同様に、乾布状態で、洗濯兼脱水槽６を停止させた状態で撹拌翼８を回転させるように駆動電動機７０３に所定時間給電したときの到達回転速度または駆動電動機７０３に所定時間給電した後に給電停止してからの回転速度減衰特性を検出し、この検出結果に基づいて内部メモリの乾布布量テーブルを参照して求める。この乾布布量テーブルには、予め、各種の到達回転速度または回転速度減衰特性に対応する洗濯物の量を設計仕様情報として求めて内部メモリに記憶させておく。そして、布質検出は、洗濯兼脱水槽６（外槽３）に所定水位まで給水し、洗濯兼脱水槽６を停止させた状態で撹拌翼８を回転させるように駆動電動機７０３に所定時間給電したときの到達回転速度または駆動電動機７０３に所定時間給電した後に給電停止してからの回転速度減衰特性を検出する工程を水位を変えて複数回実行し、この検出結果に基づいて内部メモリの布質テーブルを参照して求める。この布質テーブルには、予め、各水位における各種の到達回転速度または回転速度減衰特性に対応させて洗濯物の布質を設計仕様情報として求めて内部メモリに記憶させておく。
【００７６】
ステップＳ１３
ステップＳ１２において検出した洗濯物の布量および布質に基づいて洗濯水量，洗剤量，洗濯水流（洗濯工程における撹拌特性）および洗濯，脱水，乾燥工程の運転所要時間を設定して表示し、残時間表示制御を開始する。洗濯，脱水，乾燥工程の運転所要時間は、乾燥工程が設定されていないときには洗濯，脱水を終了するまでの運転所要時間であり、乾燥工程まで設定されているときには洗濯から乾燥工程終了までの運転所要時間とする。乾燥工程の所要時間は、ステップＳ１２において検出した布量（または布量と布質）に基づいて内部メモリの制御情報（乾燥運転所要時間情報のテーブル）を参照して該当する乾燥運転所要時間情報（洗濯前の乾布布量に応じた基礎乾燥時間と所定の乾燥仕上運転時間）を読み出して設定することにより行う。この洗濯前の乾布布量に応じた基礎乾燥時間と所定の乾燥仕上運転時間（乾燥運転所要時間情報）は、予め、設計仕様情報として求めて内部メモリに記憶させておく。そして、残時間表示制御を開始する。
【００７７】
ステップＳ１４
洗濯運転制御を実行する。この洗濯運転制御は、従来の電気洗濯機における洗濯運転制御と同様に、ステップＳ１３において設定した洗濯水量，洗剤量，洗濯水流および洗濯運転所要時間に基づいて実行する。
【００７８】
ステップＳ１５
脱水運転制御を実行する。この脱水運転制御は、従来の電気洗濯機における洗濯運転制御と同様に、ステップＳ１３において設定した脱水運転所要時間に基づいて実行する。
【００７９】
ステップＳ１６
洗濯および脱水運転を終了する。乾燥工程が設定されていないときには残時間表示を終了する。乾燥工程が設定されているときには、残時間表示更新を停止する。
【００８０】
ステップＳ１７
このステップは、取り扱い者が実行する手作業である。乾燥工程が設定されているときには、遠心脱水した洗濯物が洗濯兼脱水槽６の内周壁面に付着していることから、この洗濯物を通風乾燥し易い状態に解し、更に、洗濯兼脱水槽６内に通風するために外蓋吸気窓蓋９１０を開放する。その後、操作パネル１０５の入力スイッチ群１０５２からスタートの指示入力することになる。
【００８１】
従って、マイクロコンピュータ１０６１は、前述した乾燥コースにおけるステップＳ２で待機する。そして、入力スイッチ群１０５２からスタートの指示が入力されたのを確認して前述した乾燥コースと同様の処理（ステップＳ３〜Ｓ９）を実行する。但し、この実施の形態では、洗濯および脱水工程を行った後に実行する乾燥工程では、ステップＳ３における布量検出とステップＳ４における乾燥運転所要時間設定は、既にステップＳ１２，Ｓ１３で行っているので、ここでは省略する。但し、ここで改めてステップＳ３における布量検出とステップＳ４における乾燥運転所要時間設定を行うようにしても良い。
【００８２】
洗濯物の乾燥特性は、洗濯物の布質と負荷量（布量）によって変化する。例えば、冷風乾燥コースを実行することによる洗濯物の乾燥特性を図１１〜図１３を参照して具体的に例示して説明する。
【００８３】
図１１は、化繊（ポリエステル１００％）の布製品を１時間，２時間および３時間で冷風通風乾燥させたときの負荷量と乾燥度の関係を示す特性図である。２時間または３時間の通風乾燥を実行すれば２．０ｋｇまでの洗濯物を約１０８％の乾燥度に乾燥させることができるが、１時間の通風乾燥では、乾燥度約１０６％から負荷量が増えるに従って次第に低下する傾向となる。
【００８４】
図１２は、混紡（ポリエステル８５％／綿１５％）の布製品を１時間，２時間および３時間で冷風通風乾燥させたときの負荷量と乾燥度の関係を示す特性図である。３時間の通風乾燥を実行れば２．０ｋｇまでの洗濯物を約１０７％〜１０６％の乾燥度に乾燥させることができるが、２時間の通風乾燥では、乾燥度約１０５％〜１０２％の範囲で負荷量が増えるに従って次第に低下し、１時間の通風乾燥では、乾燥度約９７％〜９５％の範囲で負荷量が増える従って次第に低下する傾向となる。
【００８５】
図１３は、混紡（ポリエステル６０％／綿４０％）の布製品を１時間，２時間および３時間で冷風通風乾燥させたときの負荷量と乾燥度の関係を示す特性図である。３時間の通風乾燥においては、乾燥度約１０６％〜１０２％の範囲で負荷量が増えるに従って次第に低下し、２時間の通風乾燥では、乾燥度約１０４％〜９８％の範囲で負荷量が増えるに従って次第に低下し、１時間の通風乾燥では、乾燥度約９６％〜９０％の範囲で負荷量が増える従って次第に低下する傾向となる。
【００８６】
図１４は、冷風乾燥，温風乾燥，冷風／温風乾燥の乾燥特性比較を同じ素材（混紡）の衣類で示したもので、乾燥時間からすると温風乾燥が最も早いが、湿潤した温風を吹き出して生活環境を悪化させたり、消費電力が多くなるデメリットもある。また、衣類素材によっては、温風乾燥は不適切な衣類もある。
【００８７】
このように、乾燥特性は、洗濯物の布質と量によって異なるので、冷風乾燥コースと温風乾燥コースと冷風／温風乾燥コースを上手に使い分け、予め、乾燥に供されるであろう洗濯物の布質と量と乾燥時間を対応させた表を記載した取扱説明書を用意しておき、実際に乾燥するときにこの取扱説明書を参照して前述した乾燥コースを選択して設定することができるようにすると便利である。
【００８８】
次に、通風機構の変形例について説明する。制御装置については、変更不要であるので、図示説明を省略する。
【００８９】
図１５〜図１７は、外槽カバーの庇の内周側に開口する内側衣類投入口を開閉可能に覆う内蓋を設け、この内蓋に設けた内蓋吸気窓にフィルタおよびヒータユニットを設置する構成の第１の変形例である。ここで、図１５は、この第１の変形例を示す電気洗濯機の縦断側面図、図１６は、外蓋の平面図、図１７は、外蓋の縦断側面図であり、外蓋吸気窓蓋を閉じた状態を示す縦断側面図（ａ）と外蓋吸気窓蓋を開いた状態を示す縦断側面図（ｂ）である。前述した実施の形態における構成部品と共通の構成部品には同一の参照符号を付し、または図示を省略して、重複する説明は省略する。
【００９０】
この実施の形態では、外槽カバー３０３の庇の内周側に開口する内側衣類投入口３０３ｂを開閉可能に塞ぐ内蓋１２０１を設けている。この内蓋１２０１は、手前側を起伏させて内側衣類投入口３０３ｂを開閉するように後側を内蓋ヒンジ１２０２によって転角可能に取り付け、前側端縁に開放操作するときに指をかける内蓋取っ手１２０３を設けた構成とする。また、この内蓋１２０１は、外蓋９の後側部材９０２に設けた外蓋吸気窓９１０から吸い込んだ外気を洗濯兼脱水槽６に導くように内蓋１２０１の略中央部に位置して前記外蓋吸気窓９１０に対向するように形成した内蓋吸気窓１２０４を備える。そして、この内蓋１２０１には、前記内蓋吸気窓１２０４を通過する空気から塵埃を除去する着脱可能なフィルタ１１３０と該フィルタ１１３０を通過する空気を加熱するヒータユニット１１４０を取り付ける。
【００９１】
ヒータユニット１１４０は、空気を加熱するヒータ１１４１と該ヒータ１１４１を覆う絶縁素材のヒータケース１１４２を備える。ヒータケース１１４２は、前述したフィルタケース１１２２と同様に、外気を通過させる外側吸気窓１１４２ａと、ヒータ１１４１を通過して加熱された温風を通過させて洗濯兼脱水槽６に向けて送り出す内側吸気窓１１４２ｂを備える。
【００９２】
外蓋９は、図１６および図１７に示すように、前後方向の略中央部位を折り目にして山折りに折り曲げ可能に前側部材９０１と後側部材９０２をヒンジ９０３によって結合して構成し、後端部分に設けたヒンジ９０４を軸にして転角して外側衣類投入口１０２を開閉するように上カバー１０２に取り付けて設ける。
【００９３】
前側部材９０１は、その後縁部に、この上カバー１０２を山折にして開放操作するときに指をかける取っ手９０１を備える。
【００９４】
後側部材９０２は、前記折り目側に沿って弦を位置させた略半円形状の外蓋吸気窓９１０を備える。この外蓋吸気窓９１０は、折り目側に沿って弦を位置させて後側部材９０２に形成した略半円形状の外蓋吸気窓穴９０２ａと、この外蓋吸気窓穴９０２ａ内に位置するように後側部材９０２に一体成型して設けた格子９０２ｂを備え、この格子９０２ｂの上側に位置するように後側部材９０２に着脱可能に設置したフィルタ９１２と、折り目側（弦側）に設けたヒンジ９１３を軸にして転角してフィルタ９１２上を開閉可能に覆うように後側部材９０２に取り付けた透明または半透明の略半円形状の外蓋吸気窓蓋９１４を備える。外蓋吸気窓蓋９１４は、最後端縁に、開放操作するときに指をかける取っ手９１４を設ける。ヒンジ９１３は、図示説明は省略するが、外蓋吸気窓蓋９１４を約４５度および９０度の角度に起立するように転角（開放）した状態で静止させる静止機構を備える。
【００９５】
このように構成した外蓋吸気窓９１０は、外蓋吸気窓蓋９１４を閉じておくことによって洗濯および遠心脱水工程において内部で発生する騒音の放出を抑制することができ、また、透明または半透明の外蓋吸気窓蓋９１４は、閉じた状態でもフィルタ９１２の汚れ具合を目視することができる。
【００９６】
乾燥工程においては、外蓋吸気窓蓋９１４を約４５度の角度に起立させることにより、この外蓋吸気窓蓋９１４は、外蓋吸気窓穴９０２ａの前側に位置して弦側を下にして安定した姿勢で起立して該外蓋吸気窓穴９０２ａを開放して該外蓋吸気窓穴９０２ａを通した吸気を容易にすると共に該外蓋吸気窓穴９０２ａから放出される騒音を後方に向けて反射（前方に広がるのを抑制）して使用者に伝わる騒音を軽減することができる。また、フィルタ９１２は、外蓋吸気窓穴９０２ａからの塵埃の侵入を抑制する。そして、外蓋吸気窓蓋９１４を約９０度の角度に起立するように開放することにより、フィルタ９１２を清掃するための着脱を容易にする。外蓋吸気窓穴９０２ａに設けた格子９０２ｂは、外蓋吸気窓穴９０２ａからの手指の進入を制限して安全性を高めるように機能する。
【００９７】
図１８および図１９は、外気を吸気する位置やヒータユニットをバックパネルボックスに設けることにより、安全性や収納性を考慮した構成の第２の変形例である。ここで、図１８は、この第２の変形例を示す電気洗濯機の縦断側面図、図１９は、その外蓋の平面図である。前述した実施の形態における構成部品と共通の構成部品には同一の参照符号を付し、または図示を省略して、重複する説明は省略する。
【００９８】
この実施の形態では、通風乾燥のために吸気をバックパネルボックス１０２ｃの背面から行うように該バックパネルボックス１０２ｃの背面に開口させたバックパネル吸気窓１０２ｄを設け、このバックパネルボックス１０２ｃのバックパネル吸気窓１０２ｄからの吸気から塵埃を除去するために該バックパネル吸気窓１０２ｄの内側に脱着可能に設置したフィルタ１１５０を設け、このフィルタ１１５０の内側に空気を加熱するヒータユニット１１６０と空気を加熱した温風を洗濯兼脱水槽６に対向するように内蓋１２０１に開口させた内蓋吸気窓１２０４に導く吸気通路１１７０を設けた構成である。
【００９９】
ヒータユニット１１６０は、空気を加熱するヒータ１１６１と、このヒータ１１６１を覆う絶縁素材のヒータケース１１６２を備え、このヒータケース１１６２は、外気を通過させる外側吸気窓１１６２ａと、ヒータ１１６１を通過して加熱された温風を通過させて吸気通路１１７０に送り出す内側吸気窓１１６２ｂを備える。このヒータユニット１１６０は、バックパネルボックス１０２ｃ内に設置する。
【０１００】
そして、外蓋９は、機外から空気を取り入れる機能が不要となることから、外蓋吸気窓を省略した構成の後側部材９０５を使用する。
【０１０１】
このように変形した実施の形態によれば、外蓋９の構成が簡単になり、また、通風乾燥に際して、窓蓋の開閉操作が不要となる。
【０１０２】
図２０は、吸気を加熱するランプを内蓋に設けた構成の第３の変形例である。ここで、図１４は、第３の変形例を示す電気洗濯機の縦断側面図である。前述した実施の形態および変形例における構成部品と共通の構成部品には同一の参照符号を付し、または図示を省略して、重複する説明は省略する。
【０１０３】
この実施の形態における内蓋１２０１は、外蓋９の後側部材９０２に設けた外蓋吸気窓９１０から吸い込んだ外気を洗濯兼脱水槽６に導くように内蓋１２０１の略中央部に位置して前記外蓋吸気窓９１０に対向するように形成した内蓋吸気窓１２０４を備える。そして、この内蓋１２０１には、前記内蓋吸気窓１２０４を通過する空気から塵埃を除去する着脱可能なフィルタ１１３０と、このフィルタ１１３０を通過した空気を加熱する加熱手段であるランプユニット１１８０を取り付ける。また、内蓋１２０１の内側面には、反射板１２１０を取り付け、ランプユニット１１８０で発生した光を良く反射して洗濯兼脱水槽６内に向けて照射するように構成する。
【０１０４】
ランプユニット１１８０は、空気を加熱するランプ１１８１と該ランプ１１８１を覆う透明で該ランプ１１８１の光を良く通す絶縁素材のランプケース１１８２を備え、ランプケース１１８２は、外気を通過させる外側吸気窓１１８２ａと、ランプ１１８１を通過して加熱された温風を通過させて洗濯兼脱水槽６に向けて送り出す内側吸気窓１１８２ｂを備える。そして、このランプユニット１１８０は、内蓋１２０１の内側に設置する。
【０１０５】
このように変形した実施の形態によれば、洗濯兼脱水槽６が回転することにより、外蓋９の外蓋吸気窓９１０から内蓋１２０１の内蓋吸気窓１２０４およびランプユニット１１８０を通して洗濯兼脱水槽６内に吸気される外気は、ランプユニット１１８０を通過するときにランプ１１８１の発熱似よって加熱されて温風となり、また、ランプ１１８１で発生した光は、洗濯兼脱水槽６内に効率良く照射されて熱に変換されるので、洗濯兼脱水槽６内の洗濯物を効率良く加熱して水分を蒸発させて乾燥させることができる。
【０１０６】
【発明の効果】
本発明によれば、洗濯兼脱水槽を回転させることにより該洗濯兼脱水槽内に効率良く温風や冷風を通風させて洗濯物を乾燥させ、室内の空気の湿度の増加による生活環境の悪化も軽減することができる簡単な構成の洗濯乾燥式の電気洗濯機を実現することができる。
【０１０７】
しかも、２立方メートル／分を越える通風流量を実現して乾燥効率を高めることができ、乾燥度の高い衣類乾燥を実現することができる。
【０１０８】
また、冷風乾燥や温風乾燥等の乾燥コースを必要に応じて選択的に設定することにより、自動的に、洗濯物の量（布量）に応じた乾燥所要時間を設定して通風乾燥と残時間表示を実行すると共に乾燥度を監視して乾燥運転を終了するので、操作が簡単な洗濯乾燥式の電気洗濯機とすることができる。
【図面の簡単な説明】
【図１】本発明の一実施の形態を示す電気洗濯機の外観斜視図である。
【図２】図１に示した電気洗濯機の縦断側面図である。
【図３】図１に示した電気洗濯機における外槽の平面図（ａ）と底部の縦断側面図である。
【図４】図１に示した電気洗濯機の外槽に設けた上カバーの平面図である。
【図５】図１に示した電気洗濯機における洗濯兼脱水槽の横断平面図である。
【図６】図１に示した電気洗濯機における撹拌翼の平面図（ａ）と縦断側面図（ｂ）である。
【図７】図１に示した電気洗濯機における外蓋の平面図である。
【図８】図７に示した外蓋の外蓋吸気窓蓋を閉じた状態を示す縦断側面図（ａ）と外蓋吸気窓蓋を開いた状態を示す縦断側面図（ｂ）である。
【図９】図１に示した電気洗濯機における制御装置のブロック図である。
【図１０】図１に示した電気洗濯機における制御装置が実行する洗濯，脱水，乾燥における制御処理を具体的に例示するフローチャートである。
【図１１】図１に示した電気洗濯機において乾燥コースを実行することによる洗濯物（ポリエステル１００％）の乾燥特性図である。
【図１２】図１に示した電気洗濯機において乾燥コースを実行することによる洗濯物（ポリエステル８５％／綿１５％混紡）の乾燥特性図である。
【図１３】図１に示した電気洗濯機において乾燥コースを実行することによる洗濯物（ポリエステル６０％／綿４０％混紡）の乾燥特性図である。
【図１４】図１に示した電気乾燥機において温風乾燥，冷風乾燥，温風／冷風乾燥コースを実行することによる乾燥特性比較図である。
【図１５】本発明における通風機構の第１の変形例を採用した電気洗濯機の縦断側面図である。
【図１６】図１５に示した電気洗濯機における外蓋の平面図である。
【図１７】図１６に示した外蓋の外蓋吸気窓蓋を閉じた状態を示す縦断側面図（ａ）と外蓋吸気窓蓋を開いた状態を示す縦断側面図（ｂ）である。
【図１８】本発明における通風機構の第２の変形例を採用した電気洗濯機の縦断側面図である。
【図１９】図１８に示した電気洗濯機における外蓋の平面図である。
【図２０】本発明における通風機構の第３の変形例を採用した電気洗濯機の縦断側面図である。
【符号の説明】
１…外枠、１０２…上カバー、１０２ａ…外側衣類投入口、１０２ｃ…バックパネルボックス、１０２ｄ…バックパネル吸気窓、１０５…操作パネル、１００１…乾燥排気湿度センサ、１０５２…入力スイッチ群、１０５３…表示素子群、１０６…主制御回路、１０６１…マイクロコンピュータ、１０７２…排水電磁弁、３…外槽、３０３…外槽カバー、３０３ａ…通気窓穴、６…洗濯兼脱水槽、６０１…胴部、６０１ａ…脱水穴、６０１ｂ…凸条、６０２…底部、６０３…結合フランジ、６０２ａ，６０３ａ…水抜き穴、７…駆動装置、８…撹拌翼、８０１…撹拌羽根、８０２…通気穴、８０３…洗濯水循環裏羽根、９…外蓋、９０１…前側部材、９０２…後側部材、９０２ａ…外蓋吸気窓穴、９０２ｂ…格子、９１０…外蓋吸気窓、９１２…フィルタ、９１４…外蓋吸気窓蓋、１１１０…フィルタ、１１２０…ヒータユニット、１１２１…ヒータ、１１２２…ヒータケース、１１７０…吸気通路、１２０１…内蓋、１２０４…内蓋吸気窓、１２１０…反射板、１１８０…ランプユニット、１１８１…ランプ、１１８２…ランプケース。
【図１】
2004313493.tif 000003
【図２】
2004313493.tif 000004
【図３】
2004313493.tif 000005
【図４】
2004313493.tif 000006
【図５】
2004313493.tif 000007
【図６】
2004313493.tif 000008
【図７】
2004313493.tif 000009
【図８】
2004313493.tif 000010
【図９】
2004313493.tif 000011
【図１０】
2004313493.tif 000012
【図１１】
2004313493.tif 000013
【図１２】
2004313493.tif 000014
【図１３】
2004313493.tif 000015
【図１４】
2004313493.tif 000016
【図１５】
2004313493.tif 000017
【図１６】
2004313493.tif 000018
【図１７】
2004313493.tif 000019
【図１８】
2004313493.tif 000020
【図１９】
2004313493.tif 000021
【図２０】
2004313493.tif 000022